【手続補正書】
【提出日】平成30年7月30日(2018.7.30)
【手続補正１】
【補正対象書類名】明細書
【補正対象項目名】００６３
【補正方法】変更
【補正の内容】
【００６３】
本明細書において特定の実施形態が例示され、説明されているが、これは、多彩な代替及び／又は同等の実施が、本開示の範囲から逸脱することなく示され、説明されている特定の実施形態で置き換えることができると当業者により理解されるであろう。本出願は、本明細書で論じられている特定の実施形態のいかなる翻案又は変形も包含するよう意図されている。したがって、これは、この開示が特許請求の範囲及びその均等物によってのみ限定されることが意図されている。本発明の実施態様の一部を以下の［項目１］−［項目２２］に記載する。
［項目１］
約１ｍｍ未満の厚さを有し、第１の主表面、及び前記第１の主表面の反対側の第２の主表面を有するガラスフィルム、並びに
前記ガラスフィルムの前記第１の主表面に永久的に接着している第１のホモポリマーであり、配向半結晶性ポリマーである第１のホモポリマーを含む、ガラス及びポリマーフィルム組立体。
［項目２］
前記ガラスフィルムの前記第２の主表面に付着しているポリマー層を更に含む、項目１に記載のガラス及びポリマーフィルム組立体。
［項目３］
前記ポリマー層が、前記ガラスフィルムの前記第２の主表面に剥離可能に付着している、項目２に記載のガラス及びポリマーフィルム組立体。
［項目４］
前記ポリマー層が、前記ガラスフィルムの前記第２の主表面に永久的に接着している第２のホモポリマーであり、前記第２のホモポリマーが、配向半結晶性ポリマーである、項目２に記載のガラス及びポリマーフィルム組立体。
［項目５］
前記第１及び第２のホモポリマーが、実質的に均一な配向度を有する、項目４に記載のガラス及びポリマーフィルム組立体。
［項目６］
前記第１及び第２のホモポリマーが、前記ガラスフィルム上に実質的に均一な力を生成する、項目４に記載のガラス及びポリマーフィルム組立体。
［項目７］
前記第１のホモポリマーに前記ガラスフィルムの反対側で隣接した１枚又は複数のフィルム層を更に含む、項目１に記載のガラス及びポリマーフィルム組立体。
［項目８］
前記ガラスフィルムの厚さが約０．５ｍｍ未満である、項目１に記載のガラス及びポリマーフィルム組立体。
［項目９］
第１のポリマーフィルムを用意する工程、
第１の主表面、及び前記第１の主表面の反対側の第２の主表面を有するガラスシートを用意する工程であって、前記ガラスシートが約１ｍｍ未満の厚さを有する工程、
前記第１のポリマーフィルムを前記ガラスシートの第１の主表面に適用する工程であって、前記第１のポリマーフィルムを適用する前記工程中に、前記ガラスシートが、前記第１のポリマーフィルムの接着温度を上回る温度である工程、並びに
前記第１のポリマーフィルムを、前記ガラスシートの前記第１の主表面に接着させる工程を含む、ガラス及びポリマーフィルム組立体を形成する方法。
［項目１０］
前記第１のポリマーが配向している、項目９に記載の方法。
［項目１１］
第２のポリマーフィルムを用意する工程、及び
前記第２のポリマーフィルムを前記ガラスシートの前記第２の主表面に適用する工程であって、前記第２のポリマーフィルムを適用する前記工程中に、前記ガラスシートが、前記第２のポリマーフィルムの接着温度を上回る温度である工程、及び
前記第２のポリマーフィルムを、前記ガラスシートの前記第２の主表面に接着させる工程を更に含む、項目９に記載の方法。
［項目１２］
前記第２のポリマーフィルムを適用する前記工程が、前記第１のポリマーフィルムを適用する前記工程と同時に行われる、項目１１に記載の方法。
［項目１３］
前記第１及び第２のポリマーフィルムが配向している、項目１１に記載の方法。
［項目１４］
前記第１及び第２のポリマーフィルムが、均一な配向度を有する、項目１３に記載の方法。
［項目１５］
前記接着温度が室温を上回る、項目９に記載の方法。
［項目１６］
前記第１のポリマーフィルムと前記ガラスシートの間の界面における温度が、約０．０１ミリ秒〜約１ミリ秒に及ぶ時間にわたり、前記接着温度を上回る、項目９に記載の方法。
［項目１７］
第１のポリマーフィルムを用意する工程、
第１の温度で溶融したガラスを用意する工程、
前記溶融したガラスを、前記第１のポリマーフィルムの接着温度より高く、室温より高い第２の温度に冷却することにより、ガラスシートを形成する工程であって、前記ガラスシートが、第１の主表面、及び前記第１の主表面の反対側の第２の主表面を有する工程、
前記第１のポリマーフィルムを、前記ガラスシートの前記第１の主表面に適用する工程であって、前記第１のポリマーフィルムを適用する前記工程中に、前記ガラスシートが前記第２の温度である工程、並びに
前記第１のポリマーフィルムを、前記ガラスシートの前記第１の主表面に接着させる工程を含む、ガラス及びポリマーフィルム組立体を形成する方法。
［項目１８］
前記第１のポリマーが配向している、項目１７に記載の方法。
［項目１９］
第２のポリマーフィルムを用意する工程、及び
前記第２のポリマーフィルムを前記ガラスシートの前記第２の主表面に適用する工程であって、前記第２のポリマーを適用する前記工程中に、前記ガラスシートが、前記第２のポリマーフィルムの接着温度を上回る温度である工程、及び
前記第２のポリマーフィルムを、前記ガラスシートの前記第２の主表面に接着させる工程を更に含む、項目１７に記載の方法。
［項目２０］
前記第２のポリマーフィルムを適用する前記工程が、前記第１のポリマーフィルムを適用する前記工程と同時に行われる、項目１９に記載の方法。
［項目２１］
前記第１及び第２のポリマーフィルムが配向している、項目１９に記載の方法。
［項目２２］
前記ガラスシートが、約１ｍｍ未満の厚さを有する、項目１７に記載の方法。
【手続補正２】
【補正対象書類名】特許請求の範囲
【補正対象項目名】全文
【補正方法】変更
【補正の内容】
【特許請求の範囲】
【請求項１】
約１ｍｍ未満の厚さを有し、第１の主表面、及び前記第１の主表面の反対側の第２の主表面を有するガラスフィルム、並びに
前記ガラスフィルムの前記第１の主表面に永久的に接着している第１のホモポリマーであり、配向半結晶性ポリマーである第１のホモポリマーを含む、ガラス及びポリマーフィルム組立体。
【請求項２】
前記ガラスフィルムの前記第２の主表面に付着しているポリマー層を更に含む、請求項１に記載のガラス及びポリマーフィルム組立体。
【請求項３】
前記ポリマー層が、前記ガラスフィルムの前記第２の主表面に永久的に接着している第２のホモポリマーであり、前記第２のホモポリマーが、配向半結晶性ポリマーである、請求項２に記載のガラス及びポリマーフィルム組立体。
【請求項４】
第１のポリマーフィルムを用意する工程、
第１の主表面、及び前記第１の主表面の反対側の第２の主表面を有するガラスシートを用意する工程であって、前記ガラスシートが約１ｍｍ未満の厚さを有する工程、
前記第１のポリマーフィルムを前記ガラスシートの第１の主表面に適用する工程であって、前記第１のポリマーフィルムを適用する前記工程中に、前記ガラスシートが、前記第１のポリマーフィルムの接着温度を上回る温度である工程、並びに
前記第１のポリマーフィルムを、前記ガラスシートの前記第１の主表面に接着させる工程を含む、ガラス及びポリマーフィルム組立体を形成する方法。
【請求項５】
第２のポリマーフィルムを用意する工程、及び
前記第２のポリマーフィルムを前記ガラスシートの前記第２の主表面に適用する工程であって、前記第２のポリマーフィルムを適用する前記工程中に、前記ガラスシートが、前記第２のポリマーフィルムの接着温度を上回る温度である工程、及び
前記第２のポリマーフィルムを、前記ガラスシートの前記第２の主表面に接着させる工程を更に含む、請求項４に記載の方法。
【請求項６】
前記第１のポリマーフィルムと前記ガラスシートの間の界面における温度が、約０．０１ミリ秒〜約１ミリ秒に及ぶ時間にわたり、前記接着温度を上回る、請求項４に記載の方法。
【請求項７】
第１のポリマーフィルムを用意する工程、
第１の温度で溶融したガラスを用意する工程、
前記溶融したガラスを、前記第１のポリマーフィルムの接着温度より高く、室温より高い第２の温度に冷却することにより、ガラスシートを形成する工程であって、前記ガラスシートが、第１の主表面、及び前記第１の主表面の反対側の第２の主表面を有する工程、
前記第１のポリマーフィルムを、前記ガラスシートの前記第１の主表面に適用する工程であって、前記第１のポリマーフィルムを適用する前記工程中に、前記ガラスシートが前記第２の温度である工程、並びに
前記第１のポリマーフィルムを、前記ガラスシートの前記第１の主表面に接着させる工程を含む、ガラス及びポリマーフィルム組立体を形成する方法。
【請求項８】
第２のポリマーフィルムを用意する工程、及び
前記第２のポリマーフィルムを前記ガラスシートの前記第２の主表面に適用する工程であって、前記第２のポリマーを適用する前記工程中に、前記ガラスシートが、前記第２のポリマーフィルムの接着温度を上回る温度である工程、及び
前記第２のポリマーフィルムを、前記ガラスシートの前記第２の主表面に接着させる工程を更に含む、請求項７に記載の方法。